(57)【要約】【目的】効率的にモグラを撃退することが可能であり、しかも慣れの生じにくいモグラ撃退装置を提供すること。【構成】請求項１の考案は爆発筒内で可燃ガスを爆発させ衝撃波や爆音によりモグラを撃退する装置において、爆発筒の下部に開口部を設けると共に爆発筒の先端に爆発筒より径が小さく、且つ、周面に複数の孔部を有し、空洞部が爆発筒の空洞部と連通した筒状部を設けた。請求項２記載の考案は爆発筒を、可燃ガスを爆発させる爆発室と爆発室より径の小さい圧縮室と圧縮室より径の大きい反響室と開口部を有する地中埋め込み室とにより形成した。請求項３記載の考案は爆発筒内に可燃ガスを供給するガスホースに介在させた電磁弁の開閉間隔及び可燃ガスを爆発させるための点火プラグの点火のタイミングをコントローラーで制御するよう構成した。【選択図】図１
0003138314.tif 000002
【実用新案登録請求の範囲】
【請求項１】
爆発筒内で可燃ガスを爆発させ衝撃波や爆音によりモグラを撃退する装置であって、
爆発筒１０の下部に開口部１４ａを設けたこと、
爆発筒１０の先端に、爆発筒１０より径が小さく且つ周面に複数の孔部１５ａを有し、空洞部が爆発筒１０の空洞部と連通した筒状部１５を設けたこと、
を特徴とするモグラ撃退装置。
【請求項２】
爆発筒１０を、可燃ガスを爆発させる爆発室１１と爆発室１１より径の小さい圧縮室１２と圧縮室１２より径の大きい反響室１３と開口部１４ａを有するホルダー部１４とにより形成した請求項１記載のモグラ撃退装置。
【請求項３】
爆発筒１０内に可燃ガスを供給するガスホース２２に介在させた電磁弁２１の開閉間隔及び可燃ガスを爆発させるための点火プラグ２４の点火のタイミングをコントローラー３０で制御した請求項１又は２に記載のモグラ撃退装置。
【考案の詳細な説明】
【技術分野】
【０００１】
本考案は田畑やゴルフ場にいるモグラを爆音により追い出し、近づけないようにするモグラ撃退装置に関する。
【背景技術】
【０００２】
モグラの巣は雨水の侵入が防げる場所（障害物の下、木の根、小高い丘）に作られる。モグラはこの巣から餌場に向かうトンネル（本道）や餌場でのトンネル（支道）、そして逃げ込む場所の避難所を作る。本道は餌場を囲むように作られ、毎回この本道を通って餌場に行く。餌場では様々な形で支道が作られ、土中のミミズや昆虫の幼虫を食べる。餌がなくなると次々に新しい支道を作り、餌場では新旧の支道が多数存在することになる。
【０００３】
かように本道や多数の支道が作られるため、田圃では畦に穴が開き漏水の原因となったり、畑では作物の根を持ち上げて枯らせてしまう。又、ゴルフ場でも芝生が枯れてしまうといった被害が生じる。
【０００４】
そこで有害獣たるモグラを撃退する方法が種々提案されている。モグラは嗅覚が極めて発達していることから忌避剤を用いるもの、例えば特開２００５−１７９３３０号公報記載の発明や、振動により追い払うもの、例えば特開２００７−１２４９６８号公報記載の発明などである。
【特許文献１】特開２００５−１７９３３０号公報
【特許文献２】特開２００７−１２４９６８号公報
【考案の開示】
【考案が解決しようとする課題】
【０００５】
モグラは大量の餌を摂取することから、好適な餌場を容易に離れようとしない習性を有する。忌避剤や振動による撃退法では慣れが生じやすく、追い払ったモグラが再び戻ってきてしまいがちである。そこで本考案は効率的にモグラを撃退することが可能であり、しかも慣れの生じにくいモグラ撃退装置を提供することを目的とする。
【課題を解決するための手段】
【０００６】
上記課題を解決するために本考案は以下のように構成した。
【０００７】
請求項１：  爆発筒内で可燃ガスを爆発させ衝撃波や爆音によりモグラを撃退する装置            において、爆発筒の下部に開口部を設ける。
【０００８】
爆発筒の先端に爆発筒より径が小さく、且つ、周面に複数の孔部を有し、            空洞部が爆発筒の空洞部と連通した筒状部を設ける。
【０００９】
請求項２：  爆発筒を、可燃ガスを爆発させる爆発室と爆発室より径の小さい圧縮室と            圧縮室より径の大きい反響室と開口部を有する地中埋め込み室とにより形成            する。
【００１０】
請求項３：  爆発筒内に可燃ガスを供給するガスホースに介在させた電磁弁の開閉間隔              及び可燃ガスを爆発させるための点火プラグの点火のタイミングをコント              ローラーで制御する。
【考案の効果】
【００１１】
以下、上述のように構成される本考案が如何にして課題を解決する作用を有するかを図面を参照しながら説明する。
【００１２】
図１は本考案のシステムを示す全体図であり、図２は爆発筒の概略正面図である。
【００１３】
図１に示すように爆発筒１０は筒状部１５を地中に差し込んで設置するものであり、より具体的にはモグラの通路たる本道あるいは支道を貫通する形態で、筒状部１５を差し込み設置するものである。係る設置形態のもと爆発筒１０内で可燃ガスを爆発させると、衝撃波や爆音が開口部１４ａから地表面や土中に伝播してゆく。この衝撃波や爆音が地中のモグラに威嚇効果を発揮し撃退するものである。又筒状部１５をモグラの通路に差し込むことにより、爆発後の排気ガスが該通路に充満することになり、嗅覚に優れたモグラを効果的に追い払うことが可能となるのである。
【００１４】
請求項２記載の考案においては、可燃ガスの爆発を爆発室１１内で行い、次いで爆発後のガスは圧縮室１２内に入り圧縮され、更に反響室１３に移動し反響室１３内で膨張することにより流速を増し、大きな衝撃波と爆音を響かせることが可能となる。
【００１５】
請求項３記載の考案によれば爆発筒１０内への可燃ガスの充填のタイミング及び点火プラグ２４の点火のタイミングをコントローラー３０により制御可能となる。これにより爆発の間隔を任意に設定でき、モグラを撃退するのに好適な爆発間隔が設定可能となるものである。
【考案を実施するための最良の形態】
【００１６】
以下、図面を用いて本考案の好ましい一実施形態を説明する。
【００１７】
図１に示すように本考案は爆発筒１０、ガスボンベ２０、コントローラー３０及び支持体４０を主な構成要素とする。爆発筒１０はその下部に設けられた筒状部１５を地面Ｇに差し込んだ状態で設置され、支持体４０により支持されるものである。ガスボンベ２０にはプロパン、ブタン、アセチレン等のうちの一つの可燃性ガスが封入されており、市販のカセットボンベでも利用可能なものである。
【００１８】
爆発筒１０は図２に示すように破線で示される中空形状を呈するものであり、爆発室１１、圧縮室１２、反響室１３及び地中埋め込み室１４より成るものである。圧縮室１２の径は爆発室１１及び反響室１３の径より小さくなっている。爆発室１１内で爆発した後のガスは圧縮室１３に入り、一旦圧縮された後反響室１３で膨張することにより流速を増し、地中埋め込み室１４の開口部１４ａを通して外部に大きな衝撃波と爆音を響かせることが可能となるものである。尚、開口部１４ａは正面側のみならず背面側にも設けられている。
【００１９】
地中埋め込み室１４は有底筒状体であるが、該底部１４ｂには筒状部１５の中空部と連通する孔部（不図示）を設けてある。これにより爆発後の排気ガスが筒状部１５内まで送り込まれ、側面に複数設けられた孔部１５ａ・・よりモグラの通路たる本道あるいは支道内まで送り込まれていくものである。筒状部１５は地面に差し込みやすくするために先端を尖らせた中空体である。先端は閉じられており、側面に設けられた複数の孔部１５ａ・・より効率的に排気ガスが放出されていくことが可能なものである。
【００２０】
具体的な爆発工程は以下の通りである。ガスボンベ２０よりゴム管で形成されるガスホース２２を通じて爆発室１１と連通した混合管２３に可燃ガスを注入する。そのうえで爆発室１１及び混合管２３内に滞留している可燃ガスに、点火プラグ２４により点火し爆発を引き起こすものである。ここに混合管２３は可燃ガスと空気を混合し爆発室１１に注入する役目を果たすものであり、爆発室１１の側面に設けられるものである。但し混合管２３の設置場所は係る限定を受けるものではなく、可燃ガスと空気の混合ガスを爆発室１１に注入できれば任意の位置でよい。
【００２１】
混合管２３に送られた可燃ガスは、ガスホース２２たるゴム管よりも細い径を持つ混合管２３内部のガス噴出管を通ることとなる。この際ベルヌーイの法則により可燃ガスは流速を早め圧力を低減させることになるが、このとき混合管２３の側面にある穴から空気を吸い込み空気と可燃ガスを混合することになる。この混合ガスに点火プラグ２４により点火し爆発を起こすのである。点火プラグ２４は図１においては混合管２３の側面に設けられているが、爆発室１１内の可燃ガスに点火できればこの限りではなく、爆発室１１の底面などに取り付けてもよい。
【００２２】
本考案においてはコントローラー３０により爆発の間隔を任意に設定可能となしてある。具体的な方法は以下の通りである。
【００２３】
可燃ガスの供給元であるガスボンベ２０の放出口には電磁弁２１が設置されており、該電磁弁２１の開閉によりガスホース２２で接続された混合管２３に可燃ガスを注入している。この電磁弁２１の開閉を制御すると共に、その開閉タイミングに合わせて点火プラグ２４に高電圧パルスを送電する役目を果たすのが電子コントローラー３０である。
【００２４】
すなわちコントローラー３０は電磁弁２１を開放し閉塞するまでの時間、及び閉塞後再度開放するまでの時間を自在に変更可能なボリュームが搭載されており、ユーザーは任意に変更が可能となっている。又コントローラー３０には点火プラグ２４に約１万ボルトの高電圧を送電し、点火プラグ２４に火花を発生させることが可能な点火ユニットが内蔵されている。
【００２５】
係る機能を有するコントローラー３０により、以下のようなタイミングで爆発を起こさせるものである。すなわち、ガスボンベ２０からガスホース２２を通じ混合管２３に送られた可燃ガスは、混合管２３内で空気と混合し、この空気混合可燃ガスが爆発室１１内に堆積してゆく。コントローラー３０で設定された電磁弁２１の開放時間が終了すると、電磁弁２１は閉塞し爆発室１１への可燃ガス流入は停止する。空気混合可燃ガスへの点火は点火プラグ２４が行うが、点火プラグ２４の付近に燃焼可能な状態になっている可燃ガスが存在する必要があるので、点火プラグ２４がスパークするタイミングは可燃ガスの流入が停止された直後もしくは流入停止直前に設定されるものである。
【００２６】
モグラ撃退装置を同一場所で使用し続けると、モグラ等が爆発音に慣れ撃退効果が小さくなってくる。そこで本考案は設置場所を容易に変更できるように、爆発筒１０及びコントローラー３０を爆発筒支柱４０で支持してある。これにより一定期間が経過するごとにモグラ撃退装置の設置場所を容易に変更可能となり、慣れによる撃退効果の低減を可及的に防ぐことが可能となるのである。
【００２７】
爆発筒支柱４０は複数の板材で形成した脚４１と、脚４１により支持される爆発筒支持棒４２及び爆発筒支持棒４２から延出した複数のコントローラ設置棒４３より成り、コントローラ設置棒４３により爆発筒１０、コントローラ３０を支持するものである。図１においては爆発筒支柱４０とガスボンベ２０とは別個に設けられているが、ガスボンベ２０としてカセットボンベを使用すれば、爆発筒支柱４０にカセットホルダーを設けることで爆発筒支柱４０と一体的に構成することも可能なものである。
【図面の簡単な説明】
【００２８】
【図１】本考案のシステムを示す全体図。
【図２】爆発筒の概略正面図。
【符号の説明】
【００２９】
１０・・爆発筒
１１・・爆発室
１２・・圧縮室
１３・・反響室
１４・・地中埋め込み室      １４ａ・・開口部
１５・・筒状部      １５ａ・・孔部
２１・・電磁弁
２２・・ガスホース
２４・・点火プラグ
３０・・コントローラー
【図１】
0003138314.tif 000003
【図２】
0003138314.tif 000004